(57)【特許請求の範囲】
【請求項１】
電子マネーの情報が格納された通信端末との間でデータの授受が可能な画像形成装置であって、
前記通信端末に対して前記電子マネーに関する課金処理を実行する課金手段と、
前記課金処理に従ってジョブを実行するジョブ実行手段と、
前記通信端末のバッテリー残量を検出する残量検出手段と、
前記残量検出手段の検出結果に基づいて、前記課金処理の方式を変更する課金処理変更手段とを備える、画像形成装置。
【請求項２】
前記課金処理変更手段は、前記残量検出手段の検出結果に基づいて、バッテリー残量が第１の閾値未満である場合には、所定金額を前払いで課金する課金処理から単位処理金額毎の課金処理に変更する、請求項１記載の画像形成装置。
【請求項３】
前記課金処理変更手段は、前記残量検出手段の検出結果に基づいて、バッテリー残量が第２の閾値未満である場合には、ジョブの実行を停止する、請求項２記載の画像形成装置。
【請求項４】
前記課金手段は、前記所定金額を前払いで課金する課金処理の場合に残金がある場合には前記通信端末の前記電子マネーに関して返金する処理を実行する、請求項２または３記載の画像形成装置。
【請求項５】
前記通信端末との間で人体を介して通信する通信手段をさらに備える、請求項１〜４のいずれかに記載の画像形成装置。
【請求項６】
前記通信手段は、前記画像形成装置への人体の接近を検知する検知手段を含む、請求項５記載の画像形成装置。
【請求項７】
電子マネーの情報が格納された通信端末との間でデータの授受が可能な画像形成装置の制御方法であって、
前記通信端末に対して前記電子マネーに関する課金処理を実行するステップと、
前記課金処理に従ってジョブを実行するステップと、
前記通信端末のバッテリー残量を検出するステップと、
前記バッテリー残量の検出結果に基づいて、前記課金処理の方式を変更するステップとを備える、画像形成装置の制御方法。
【発明の詳細な説明】
【技術分野】
【０００１】
本発明は、電子マネーの課金処理に従いジョブを実行する画像形成装置および画像形成装置の制御方法に関する。
【背景技術】
【０００２】
従来より、課金処理により画像形成装置の操作が可能なシステムが種々提案されている。
【０００３】
課金には、大別してコインベンダーのような逐次課金と、電子マネーのような後精算課金の方式がある。
【０００４】
コインベンダーでは、例えば１ページ毎に課金処理して、残金がなくなるまでプリントが可能な方式となっている。
【０００５】
電子マネーでは、プリペイド方式とポストペイド方式とがあるが、ポストペイド方式の場合には、課金される前に不正なコピー等の実行が可能となるため、一般的にはプリペイド方式が採用されている。
【０００６】
プリペイド方式の場合には、所定金額を一旦課金し、コピー等の処理が終了した場合に残金が有った場合には返金する処理が実行される。
【０００７】
一方で、電子マネーに関する情報を格納した端末等と画像形成装置との間で通信処理を実行する場合、端末等のバッテリー残量が少なくなってきて正常な処理が実行できなくなるという問題がある。例えば、バッテリー残量が少なくなってきて返金処理が実行できずにエラー処理となる問題が挙げられる。
【０００８】
この点で、特開２０１１−３５７４９号公報、あるいは特開２００２−１６４８３８号公報においては、電力供給が低下してきた場合に端末等を低消費電力モードに移行したり、あるいは、データの伝送量を減らす等によりバッテリー寿命を長くする方式が提案されている。
【先行技術文献】
【特許文献】
【０００９】
【特許文献１】特開２０１１−３５７４９号公報
【特許文献２】特開２００２−１６４８３８号公報
【発明の概要】
【発明が解決しようとする課題】
【００１０】
しかしながら、当該公報における処理は、端末側での処理であり、当該機能を端末側に設ける必要があり、制御が複雑になるという問題がある。
【００１１】
本発明は、上記のような問題を解決するためになされたものであって、端末等のバッテリー残量が低下してきた場合であっても正常に課金処理を実行することが可能な画像形成装置および画像形成装置の制御方法を提供することを目的とする。
【課題を解決するための手段】
【００１２】
本発明のある局面に従う画像形成装置は、電子マネーの情報が格納された通信端末との間でデータの授受が可能な画像形成装置であって、通信端末に対して電子マネーに関する課金処理を実行する課金手段と、課金処理に従ってジョブを実行するジョブ実行手段と、通信端末のバッテリー残量を検出する残量検出手段と、残量検出手段の検出結果に基づいて、課金処理の方式を変更する課金処理変更手段とを備える。
【００１３】
好ましくは、課金処理変更手段は、残量検出手段の検出結果に基づいて、バッテリー残量が第１の閾値未満である場合には、所定金額を前払いで課金する課金処理から単位処理金額毎の課金処理に変更する。
【００１４】
特に、課金処理変更手段は、残量検出手段の検出結果に基づいて、バッテリー残量が第２の閾値未満である場合には、ジョブの実行を停止する。
【００１５】
特に、課金手段は、所定金額を前払いで課金する課金処理の場合に残金がある場合には通信端末の電子マネーに関して返金する処理を実行する。
【００１６】
好ましくは、通信端末との間で人体を介して通信する通信手段をさらに備える。
特に、通信手段は、画像形成装置への人体の接近を検知する検知手段を含む。
【００１７】
本発明のある局面に従う画像形成装置の制御方法は、電子マネーの情報が格納された通信端末との間でデータの授受が可能な画像形成装置の制御方法であって、通信端末に対して電子マネーに関する課金処理を実行するステップと、課金処理に従ってジョブを実行するステップと、通信端末のバッテリー残量を検出するステップと、バッテリー残量の検出結果に基づいて、課金処理の方式を変更するステップとを備える。
【発明の効果】
【００１８】
端末等のバッテリー残量が低下してきた場合であっても正常に課金処理を実行することが可能である。
【図面の簡単な説明】
【００１９】
【図１】本発明の実施の形態に従う印刷システムを説明する概略図である。
【図２】本発明の実施の形態に従う通信端末２００の構成を説明する図である。
【図３】本発明の実施の形態に従うＭＦＰ１の内部構成を説明する図である。
【図４】本発明の実施の形態に従う認証処理の流れを説明するフロー図である。
【図５】バッテリー電圧と課金処理の方式の切り替えを説明する図である。
【図６】本発明の実施の形態に従うＭＦＰ１のコピー処理のフロー図である。
【発明を実施するための形態】
【００２０】
以下に図面を参照しつつ本発明の実施の形態について説明する。以下の説明においては同一の部品および構成要素には同一の符号を付してある。それらの名称および機能も同一であるものとする。
【００２１】
図１は、本発明の実施の形態に従う印刷システムを説明する概略図である。
図１を参照して、本発明の実施の形態に従う印刷システムは、ＭＦＰ（Multi Function Peripheral）１と、通信端末２００と、マットタイプアンテナ４と、マットタイプアンテナ４と接続された通信ケーブル２とを含む。通信端末２００は、人体通信が可能な通信装置である。具体的には、通信端末内部にバッテリーが格納されており、そのバッテリーにより電界を発生させて、人体を介してマットタイプアンテナ４との間でデータの授受を実行する。マットタイプアンテナ４は、人体を介して伝送されるデータを受信する。そして、受信したデータは、通信ケーブル２を介してＭＦＰ１本体に伝達される。マットタイプアンテナ４は、ＭＦＰ１の例えば操作パネルの前に配置されることにより、当該マットタイプアンテナ４で通信端末２００からのデータを受信することによりユーザーがＭＦＰ１の正面（前）に立ったことを検出することができる。なお、本例においては、一例として外部機器との間での通信状態が確立されるまで通信端末２００から所定周期で自身の端末に関するデータを送信するものとする。
【００２２】
当該通信端末２００は、課金処理に必要な電子マネー情報等が格納されているＩＣカードを装着可能であり、当該装着されたＩＣカードの電子マネー情報を読み取るカードリーダーが設けられている。
【００２３】
本例におけるＭＦＰ１は、課金処理を伴うジョブ処理の実行が可能な構成について説明する。
【００２４】
図２は、本発明の実施の形態に従う通信端末２００の構成を説明する図である。
図２を参照して、通信端末２００には、着脱可能なＩＣカード１０が装着される。そして、通信端末２００は、ＩＣカード１０のデータの読み取り／書き込みが可能なカードリーダーライター２０２と、データのデジタル／アナログ変換を実行するためのＤ／Ａコンバータ２０４と、Ｄ／Ａコンバータ２０４で変換されたアナログ信号を外部に送信／あるいは外部から受信するための送受信装置２０６とを含む。
【００２５】
ＩＣカード１０は、記憶領域１４と、ＣＰＵ１２とを含む。記憶領域１４の内部には、ユーザー識別情報であるＩＤ情報および電子マネー情報が格納されている。電子マネー情報については、図示しないが他の外部装置でチャージが可能であるものとする。
【００２６】
カードリーダーライター２０２は、ＣＰＵ１２を介して記憶領域１４にあるデータを取得するとともに、記憶領域１４に格納されているデータを編集等する。
【００２７】
図３は、本発明の実施の形態に従うＭＦＰ１の内部構成を説明する図である。
図３を参照して、本発明の実施の形態に従うＭＦＰ１のＣＰＵ１０１には、制御プログラムが格納されたＲＯＭ１０２、作業用のＳ−ＲＡＭ（Static Random Access Memory）１０３、画像形成に関わる各種の設定を記憶するバッテリバックアツプされたＮＶ−ＲＡＭ（不揮発性メモリ）１０４、計時することが可能な時計ＩＣ１０５がバスを介して接続され、制御部１００を構成している。
【００２８】
制御部１００には、原稿画像を読み取るスキャナー１２０、各種の入力を行うキーや表示部を備えた操作パネル１３０、通信ケーブル２を介して接続されたマットタイプアンテナ４からデータを送信あるいは受信する通信Ｉ／Ｆ１６０、プリントデータから複写画像を生成するためのプリンターコントローラ１５０、複写画像を用紙上に形成するプリンター１４０が、それぞれバスを介して接続されている。
【００２９】
また、制御部１００には、固定記憶装置（ＨＤＤ）１１０がバスを介して接続されている。固定記憶装置１１０とは、例えば、ハードディスク装置である。
【００３０】
当該ＨＤＤ１１０には、予め管理者等により登録された認証処理を実行するためのユーザー識別情報（ＩＤ情報）が格納されているものとする。そして、格納されているユーザー識別情報が一致した場合に認証処理が成功し、ログイン処理が実行される。これによりＭＦＰ１の各部の機能の操作が可能となるものとする。例えば、課金処理を伴うコピー等のジョブ処理が可能となる。
【００３１】
図４は、本発明の実施の形態に従う認証処理の流れを説明するフロー図である。
図４を参照して、まず、ユーザーがＭＦＰ１の前に立ったことを検出したかどうかを判断する（ステップＳ２）。具体的には、通信端末２００から送信されたデータについてマットタイプアンテナ４等を介してＭＦＰ１が受信したかどうかを判断する。そして、ユーザーがＭＦＰ１の前に立ったことを検出した場合、すなわち、データをＭＦＰ１が受信したと判断した場合（ステップＳ２においてＹＥＳ）には、次のステップＳ４に進む。一方、ステップＳ２において、ユーザーがＭＦＰ１の前に立ったことを検出しない場合には、ステップＳ２の状態を維持する。
【００３２】
次に、認証処理を実行する（ステップＳ４）。具体的には、ＭＦＰ１は、ユーザーがＭＦＰ１の前に立ったことを検出した場合には、通信端末２００に対して当該通信端末２００に装着されているＩＣカードの記憶領域１４に格納されているユーザー識別情報（ＩＤ情報）を要求する。そして、当該要求に従って通信端末２００は、要求された記憶領域１４に格納されているユーザー識別情報（ＩＤ情報）をＭＦＰ１に送信する。
【００３３】
次に、ＩＤ情報が一致したかどうかを判断する（ステップＳ６）。具体的には、通信端末２００から送信されたＩＣカードのユーザー識別情報（ＩＤ情報）がＭＦＰ１のＨＤＤ１１０に格納されているユーザー識別情報（ＩＤ情報）と一致するかどうかを判断する。
【００３４】
ステップＳ６において、ＩＤ情報が一致したと判断した場合（ステップＳ６においてＹＥＳ）には、認証成功とする（ステップＳ８）。具体的には、ＩＣカードのユーザー識別情報（ＩＤ情報）とＭＦＰ１のＨＤＤ１１０に格納されているユーザー識別情報（ＩＤ情報）とが一致した場合には正規のユーザーであると判断して認証成功とする。
【００３５】
そして、処理を終了する（エンド）。以降、認証成功によりログイン処理が実行され、これによりＭＦＰ１において課金処理を伴うジョブ処理の実行が可能となる。すなわち、電子マネー情報の残金の範囲内で各種機能の実行が可能となる。
【００３６】
一方、ステップＳ６において、ＩＤ情報が一致しないと判断した場合（ステップＳ６においてＮＯ）には、認証失敗とする（ステップＳ１０）。具体的には、ＩＣカードのユーザー識別情報（ＩＤ情報）とＭＦＰ１のＨＤＤ１１０に格納されているユーザー識別情報（ＩＤ情報）とが一致しない場合には正規のユーザーでないと判断して認証失敗とする。
【００３７】
そして、処理を終了する（エンド）。認証が失敗であるためＭＦＰ１におけるジョブ処理の実行は不能となる。あるいは、機能を制限して課金処理を伴うジョブ処理を実行させても良い。
【００３８】
図５は、バッテリー電圧と課金処理の方式の切り替えを説明する図である。
図５を参照して、まず、バッテリー電圧が充分である場合、すなわち、バッテリー電圧が閾値Ａ以上の場合には、通常のプリペイド課金処理を実行する。
【００３９】
具体的には、所定金額（複数ジョブ実行の際の課金に相当する金額）を一旦課金する処理を実行する。そして、ジョブ実行が終了して残額が生じた場合には返金する処理を実行する。なお、残額が少なくなってきた場合にはさらに課金する処理を繰り返すようにしても良い。
【００４０】
次に、バッテリー電圧が閾値Ａ未満となった場合には、プリペイド精算を実行する。例えば、所定金額を一旦課金して、ジョブ実行の途中でバッテリー残量が低下して閾値Ａ未満となったことを検知した場合には、その時点におけるジョブ実行の際に一旦精算処理を実行する。すなわち、残額について返金する処理を実行する。
【００４１】
次に、バッテリー電圧が閾値Ａ未満でかつ、閾値Ｂ以上である場合には、１枚毎の課金処理を実行する。
【００４２】
具体的には、例えば、１枚のコピー等の処理単位毎に必要な金額分課金する。そして、当該課金に従ってコピー等の処理を実行する。そして、コピー等の処理が終了するまで処理単位毎の課金を繰り返す。
【００４３】
そして、バッテリー電圧が閾値Ｂ未満となった場合には、プリントを停止する。すなわち、コピー等の処理を禁止するとともに、課金処理は行わない。
【００４４】
当該処理により、バッテリー電圧が低下して閾値Ａ未満となった場合には、課金方式を変更する。すなわち、所定金額（複数ジョブ実行の際の課金に相当）の課金処理から処理単位毎、例えば１枚毎の課金処理に変更する。すなわち、バッテリー電圧が低下してきた場合には１枚毎の課金に切り替えることにより精算処理で返金処理をする必要がなく、仮に通信端末２００のバッテリー電圧が低下して正常に通信することができなくなった場合であっても正常に課金処理を実行することが可能となる。また、バッテリー電圧が低下するまでは、通常のプリペイド課金処理を実行するため課金処理に伴う待ち時間等が無くなり高速なジョブ実行が可能となる。また、バッテリー電圧がさらに低下して閾値Ｂ未満となった場合には、課金処理を停止することにより正常な課金処理に従うジョブ実行が可能である。なお、課金処理が停止した場合には、操作パネルを介してユーザーにバッテリー電圧の低下を通知するようにしても良いし、音声等で案内するようにすることも可能である。
【００４５】
なお、バッテリー電圧の電圧レベルの取得に際して、通信端末２００からの情報により当該レベルを判断するようにしても良いし、通信端末２００からの信号レベルの強度に従ってバッテリー電圧の電圧レベルを推定するようにすることも可能である。具体的には、通信端末２００からのデータ信号のＳ／Ｎ比を検出して、当該検出結果からバッテリー電圧の電圧レベルの低下を判断するようにしても良い。
【００４６】
図６は、本発明の実施の形態に従うＭＦＰ１のコピー処理のフロー図である。当該処理は、主にＭＦＰ１のＣＰＵ１０１がＲＯＭ１０２等に格納されているプログラムを読み出すことにより実行されるものである。なお、当該コピー処理を実行する前に図４で説明した認証処理が成功しているものとする。
【００４７】
図６を参照して、まず、バッテリー残量を検出する（ステップＳ２０）。具体的には、例えば、ＣＰＵ１０１は、通信Ｉ／Ｆ１６０に入力される通信端末２００からのデータ信号のＳ／Ｎ比を検出して、検出結果に基づいてバッテリー電圧の残量を検出する。
【００４８】
次に、バッテリー残量が閾値Ａ以上であるかどうかを判断する（ステップＳ２２）。ＣＰＵ１０１は、検出結果に基づいて所定の閾値Ａ以上かどうかを判断する。
【００４９】
次に、ステップＳ２２において閾値Ａ以上であると判断した場合（ステップＳ２２においてＹＥＳ）には、次に、コピー動作の開始が有るかどうかを判断する（ステップＳ２４）。具体的には、操作パネルを介して所定のジョブ（コピー等）の設定がなされて実行指示がなされたかどうかを判断する。
【００５０】
ステップＳ２４において、コピー動作の開始があると判断した場合（ステップＳ２４においてＹＥＳ）には、プリペイドで所定の課金量を取得する（ステップＳ２６）。すなわち、通常のプリペイド課金処理を実行する。その際、所定金額（複数ジョブ実行の際の課金に相当する金額）を一旦課金する。具体的には、通信端末２００に装着されたＩＣカードの電子マネー情報について所定金額分更新する。
【００５１】
次にコピー処理を実行する（ステップＳ２８）。設定されたジョブの内容に従ってプリンター１４０を用いてコピー処理を実行する。
【００５２】
そして、課金処理を実行する（ステップＳ３０）。一旦課金した所定金額からジョブ実行に応じた課金処理を実行する。
【００５３】
次に、再び、バッテリー残量を検出する（ステップＳ３２）。具体的には、例えば、ＣＰＵ１０１は、通信Ｉ／Ｆ１６０に入力される通信端末２００からのデータ信号のＳ／Ｎ比を検出して、検出結果に基づいてバッテリー電圧の残量を検出する。
【００５４】
そして、バッテリー残量が閾値Ａ以上であるかどうかを判断する（ステップＳ３４）。すなわち、バッテリー残量が低下して閾値Ａ未満となっていないかどうかを判断する。
【００５５】
ステップＳ３４において、バッテリー残量が閾値Ａ以上であると判断した場合（ステップＳ３４においてＹＥＳ）には、次に、コピーが終了したかどうかを判断する（ステップＳ３６）。ジョブ処理が終了したかどうかを判断する。
【００５６】
ステップＳ３６においてコピーが終了したと判断した場合（ステップＳ３６においてＹＥＳ）には、精算処理を実行する（ステップＳ３８）。すなわち、ジョブ処理が終了したため残金が存在する場合には、残金を返金する処理を実行する。具体的には、通信端末２００に装着されたＩＣカードの電子マネー情報について残金分更新する。
【００５７】
そして、次に、ユーザーがＭＦＰの前から離れたことを検出したかどうかを判断する（ステップＳ４０）。
【００５８】
ステップＳ４０において、ユーザーがＭＦＰの前から離れたことを検出したと判断した場合（ステップＳ４０においてＹＥＳ）には、ログオフする（ステップＳ４２）。
【００５９】
一方、ステップＳ４０において、ユーザーがＭＦＰの前から離れたことを検出していないと判断した場合（ステップＳ４０においてＮＯ）には、ステップＳ２０に戻り、上記の処理を繰り返す。
【００６０】
一方、ステップＳ３６において、コピーが終了していないと判断した場合（ステップＳ３６においてＮＯ）には、ステップＳ２８に戻り、コピー処理を繰り返す。例えば、複数枚のコピーが設定されている場合には、枚数に応じた課金処理が繰り返される。
【００６１】
また、ステップＳ３４において、バッテリー残量が閾値Ａ以上でないと判断した場合（ステップＳ３４においてＮＯ）には、精算処理を実行する（ステップＳ４４）。すなわち、ジョブ実行の途中でバッテリー残量が低下して閾値Ａ未満となったことを検知した場合には、その時点におけるジョブ実行の際に一旦精算処理を実行する。すなわち、残額について返金する処理を実行する。そして、ステップＳ４５に進む。
【００６２】
また、ステップＳ２２において、バッテリー残量が閾値Ａ以上でないと判断した場合（ステップＳ２２においてＮＯ）、すなわち、閾値Ａ未満であると判断した場合には、バッテリー残量が閾値Ｂ以上であるかどうかを判断する（ステップＳ４５）。
【００６３】
ステップＳ４５において、バッテリー残量が閾値Ｂ以上であると判断した場合（ステップＳ４５おいてＹＥＳ）には、次に、コピー動作の開始が有るかどうかを判断する（ステップＳ４６）。具体的には、操作パネルを介して所定のジョブ（コピー等）の設定がなされて実行指示がなされたかどうかを判断する。
【００６４】
ステップＳ４６において、コピー動作の開始があると判断した場合（ステップＳ４６においてＹＥＳ）には、１枚の課金量を取得する（ステップＳ４７）。
【００６５】
次にコピー処理を実行する（ステップＳ４８）。設定されたジョブの内容に従ってプリンター１４０を用いてコピー処理を実行する。
【００６６】
そして、課金処理を実行する（ステップＳ４９）。すなわち、取得した１枚単位の課金量分から課金して残高が０となる。
【００６７】
次に、再び、バッテリー残量を検出する（ステップＳ５０）。具体的には、例えば、ＣＰＵ１０１は、通信Ｉ／Ｆ１６０に入力される通信端末２００からのデータ信号のＳ／Ｎ比を検出して、検出結果に基づいてバッテリー電圧の残量を検出する。
【００６８】
そして、バッテリー残量が閾値Ｂ以上であるかどうかを判断する（ステップＳ５１）。ステップＳ５１において、バッテリー残量が閾値Ｂ以上であると判断した場合（ステップＳ５１においてＹＥＳ）には、コピーが終了したかどうかを判断する（ステップＳ５２）。
【００６９】
ステップＳ５２においてコピーが終了したと判断した場合（ステップＳ５２においてＹＥＳ）には、ユーザーがＭＦＰの前から離れたことを検出したかどうかを判断する（ステップＳ４０）。以降の処理は同様である。１枚分の課金量のみ取得して課金処理が実行されるため残金の返金等の処理は不要である。
【００７０】
一方、ステップＳ５２において、コピーが終了していないと判断した場合（ステップＳ５２においてＮＯ）には、ステップＳ４７に戻り、コピー処理を繰り返す。具体的には、複数枚のコピーが設定されている場合には、１枚分ずつ課金し、当該処理を繰り返す。
【００７１】
また、ステップＳ５１において、バッテリー残量が閾値Ｂ以上でないと判断した場合、すなわち、閾値Ｂ未満であると判断した場合（ステップＳ５１においてＮＯ）には、ステップＳ５６に進む。
【００７２】
また、ステップＳ４５において、バッテリー残量が閾値Ｂ以上でないと判断した場合、すなわち、閾値Ｂ未満であると判断した場合（ステップＳ４５においてＮＯ）には、コピー処理を禁止する（ステップＳ５６）。そして、ステップＳ４０に進む。以降の処理は上記で説明したのと同様である。すなわち、バッテリー残量が閾値Ｂ未満の場合には、プリントを停止する。すなわち、コピー等の処理を禁止するとともに、課金処理は行わない。
【００７３】
当該処理により、バッテリー電圧の残量に応じて課金処理を変更することによりエラー処理となることはなく正常な課金処理を実行することが可能である。
【００７４】
また、ＭＦＰ１側での制御であるため通信端末２００側でバッテリー電圧の残量に応じた特別な変更機能を設ける必要が無く、簡易な制御で実行することが可能である。
【００７５】
なお、本例においては、ＭＦＰ１におけるジョブ内容としてコピー処理について説明したが、特にコピー処理に限定されるものではなく、スキャン処理、ＦＡＸ処理等、他の機能を実行する場合についても同様に適用可能である。
【００７６】
また、本例においては、通信端末に電子マネー情報が格納されたＩＣカードを装着する方式の課金処理について説明したが、特に当該方式に限られず、通信端末自身に電子マネー情報を格納する方式でも良く、特にその方式には限定されない。
【００７７】
なお、本発明にかかる画像形成装置は、ＭＦＰに限られず、プリンター装置あるいはファクシミリ装置等であってもよい。
【００７８】
なお、コンピュータを機能させて上述のフローで説明したような制御を実行させるプログラムを提供することも可能である。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。
【００７９】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８０】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８１】
提供されるプログラム製品は、ハードディスクなどのプログラム格納部にインストールされて実行される。なお、プログラム製品は、プログラム自体と、プログラムが記録された記録媒体とを含む。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８３】
１  ＭＦＰ、２  通信ケーブル、４  マットタイプアンテナ、１０  ＩＣカード、１２，１０１  ＣＰＵ、１４  記憶領域、１００  制御部、１０２  ＲＯＭ、１１０  固定記憶装置、１２０  スキャナー、１３０  操作パネル、１４０  プリンター、１５０  プリンターコントローラ、２００  通信端末、２０２  カードリーダーライター、２０４  Ｄ／Ａコンバータ、２０６  送受信装置。
【図１】
0005786700.tif 000002
【図２】
0005786700.tif 000003
【図３】
0005786700.tif 000004
【図４】
0005786700.tif 000005
【図５】
0005786700.tif 000006
【図６】
0005786700.tif 000007